(57)【要約】【課題】  免震構造物の構築中に地震が発生した場合、上部躯体の揺れに追随できる枠組み足場を提供することである。【解決手段】  枠組み足場１は、建て枠２の一方の脚柱３におけるジャッキベース１０の下面に滑り材１１が設置され、このジャッキベース１０の可動を規制する自立プレート１６がネジ軸４に回転自在に設置され、該自立プレート１６には脚部１８が設置され、該脚部１８が自立プレート１６の回転により接地面に設置することによりジャッキベース１０が接地面から浮き上がることである。【選択図】  図１
2010185211.tif 000002
【特許請求の範囲】
【請求項１】
建て枠の一方の脚柱におけるジャッキベースの下面に滑り材が設置され、このジャッキベースの可動を規制する自立プレートがネジ軸に回転自在に設置され、該自立プレートには脚部が設置され、該脚部が自立プレートの回転により接地面に設置することによりベースプレートが接地面から浮き上がることを特徴とする枠組み足場。
【請求項２】
滑り材は、下面にベアリングが設置された滑り板、または滑りシートであることを特徴とする請求項１に記載の枠組み足場。
【請求項３】
ジャッキベースは、滑り板上面の嵌合凹部に嵌合して滑り板に固定されたことを特徴とする請求項２に記載の枠組み足場。
【請求項４】
ジャッキベースは、滑り板上面の嵌合突起がジャッキベースの固定孔に嵌合して滑り板に固定されたことを特徴とする請求項２に記載の枠組み足場。
【発明の詳細な説明】
【技術分野】
【０００１】
本願発明は免震構造物を構築するときに上部躯体の外部周囲に組み立てられる枠組み足場であり、建て枠の一方の脚柱におけるジャッキベースの下面に滑り材を設置した枠組み足場に関するものである。
【背景技術】
【０００２】
従来、免震構造物を構築するには、図９に示すように、上部躯体３４の外部周囲に枠組み足場３５を組み立てていた。この枠組み足場３５は、建て枠３６の一方の脚柱３７を上部躯体の下部周囲に張り出した犬走りやエキスパンションなどの張出部３８に設置するとともに、他方の脚柱３７を外構３９に設置し、この外構側の脚柱３７を壁つなぎ４０で固定していた。そのため建物の構築中に地震が発生した場合の足場の変形および破壊を想定して、外構側の脚柱３７におけるジャッキベース４１の下に鉄板４２を敷いて摩擦を減らしていた。またその他の枠組み足場としては、例えば、特開２００３−３６６３号公報の発明が知られている。
【先行技術文献】
【特許文献】
【０００３】
【特許文献１】特開２００３−３６６３号公報
【発明の概要】
【発明が解決しようとする課題】
【０００４】
しかし、上記のような枠組み足場３５では外構３９側の脚柱３７におけるジャッキベース４１の下に鉄板４２を敷いて摩擦を減らしているが、足場の荷重によっては摩擦が大きくなり、地震が発生してもジャッキベース４１が滑らずに枠組み足場が変形または破損する恐れがあった。
【０００５】
本願発明はこれらの問題に鑑みてなされたものであり、その目的は、免震構造物の構築中に地震が発生した場合、上部躯体の揺れに追随できる枠組み足場を提供することである。
【課題を解決するための手段】
【０００６】
以上の課題を解決するための枠組み足場は、建て枠の一方の脚柱におけるジャッキベースの下面に滑り材が設置され、このジャッキベースの可動を規制する自立プレートがネジ軸に回転自在に設置され、該自立プレートには脚部が設置され、該脚部が自立プレートの回転により接地面に設置することによりベースプレートが接地面から浮き上がることを特徴とする。また滑り材は、下面にベアリングが設置された滑り板、または滑りシートであることを含む。またジャッキベースは、滑り板上面の嵌合凹部に嵌合して滑り板に固定されたことを含む。またジャッキベースは、滑り板上面の嵌合突起がジャッキベースの固定孔に嵌合して滑り板に固定されたことを含むものである。
【発明の効果】
【０００７】
建て枠の一方の脚柱におけるジャッキベースの下面に滑り材が設置されているため、免震構造物の構築中における上部躯体の外周に枠組み足場を組み立てて、建て枠の一方の脚柱を上部躯体の下部周囲に張り出した犬走りやエキスパンションなどの張出部に設置するとともに、滑り材が設置されたジャッキベースの脚柱を外構の鉄板上に設置すると、地震の発生による上部躯体の水平方向の揺れに追随して、外構側に設置した脚柱が全方向に可動するため枠組み足場が変形または破壊されない。また下面にベアリングが設置された滑り板および滑りシートは鉄板上の全方向に滑るため、地震のあらゆる方向の揺れにも対応することができる。またジャッキベースを滑り板上面の嵌合凹部に嵌合することにより、滑り板に簡単に固定することができる。さらに滑り板上面の嵌合突起をジャッキベースの固定孔に嵌合することにより、滑り板に簡単に固定することができる。また枠組み足場を組み立てるときに、滑り材の付いたジャッキベースを鉄板上に設置すると滑るため、自立プレートの脚部を鉄板上に接地させて上部荷重を受け、滑り材の付いたジャッキベースを鉄板から浮かせておく。そして枠組み足場の組み立て後に、自立プレートを回転させて脚部を鉄板上から離し、滑り材の付いたジャッキベースで上部荷重を受けることによりジャッキベースが鉄板上を滑るようにする。
【図面の簡単な説明】
【０００８】
【図１】第１の実施の形態の枠組み足場の正面図である。
【図２】第１の実施の形態の枠組み足場の要部の正面図である。
【図３】第１の実施の形態の枠組み足場のジャッキベースであり、（１）は断面図、（２）は斜視図、（３）は底面図である。
【図４】（１）および（２）はジャッキベースの上下動を示す断面図である。
【図５】第２の実施の形態の枠組み足場であり、（１）はジャッキベースの斜視図、（２）は同底面図である。
【図６】第３の実施の形態の枠組み足場であり、（１）はジャッキベースの断面図、（２）は同斜視図である。
【図７】第４の実施の形態の枠組み足場であり、（１）はジャッキベースの断面図、（２）は同斜視図である。
【図８】第５の実施の形態の枠組み足場であり、（１）はジャッキベースの断面図、（２）は同斜視図である。
【図９】（１）は従来の枠組み足場の正面図、（２）は要部の正面図である。
【発明を実施するための形態】
【０００９】
以下、本願発明の枠組み足場の実施の形態を図面に基づいて説明する。この枠組み足場１は、図１に示すように、免震構造物を構築するときに上部躯体７の周囲に組み立てられて、建て枠２の一方の脚柱３を上部躯体７における下部周囲に張り出した犬走りなどの張出部８の上面に設置し、壁つなぎ２０で上部駆体７に接合された他方の脚柱３を外構１２の鉄板１３上に設置したものである。
【００１０】
図１〜図４は第１の実施の形態の枠組み足場１である。この枠組み足場１は、図２に示すように、建て枠２の一方の脚柱３にネジ軸４が挿入されて調整ハンドル５で長さ調整がされた固定用のジャッキベース６が、上部躯体７の張出部８における敷き板９に釘などで固定され、他方の脚柱３にネジ軸４が挿入されて調整ハンドル５で長さ調整がされた可動用のジャッキベース１０が、滑り材１１を介して外構１２における鉄板１３上に設置されて構成されている。
【００１１】
この滑り材１１は、円形（または四角形）の滑り板１４の下面に４つのボールベアリング１５を備えたものであり、この滑り板１４の上面に円形（または四角形）のジャッキベース１０が溶接などで取り付けられている。また、このジャッキベース１０の可動を規制する自立プレート１６が、ネジ軸４に回転自在に設置されている。この自立プレート１６は円盤１７と、その周面に沿って下側に突設した脚部１８とから逆凹形に形成され、この脚部１８の外面に自立プレートを回転させるための突起１９が形成されている。また脚部１８は滑り板１４の厚さよりも長くなっているため、自立プレート１６をネジ軸４の下端部まで回転させると滑り板１４が自立プレート１６内に収納され、前記と反対方向に回転させると滑り板１４の一部、すなわちボールベアリング１５の下部が自立プレート１６内から突出する（脚部１８の下面より下側に突出する）。
【００１２】
したがって、枠組み足場１の組み立て時には、図４の（１）に示すように、自立プレート１６をネジ軸４の下端部まで回転させて脚部１８を鉄板１３上に接地させて、自立プレート１６で荷重を支持すると、滑り板１４が自立プレート１６内に収納されて可動が規制される。そして、枠組み足場１の組み立て後に、図４の（２）に示すように、突起１９を金槌などで叩いて自立プレート１６を回転させて、僅かに上げる（脚部１８を鉄板１３から離す）と、ボールベアリング１５の下部が自立プレート１６から下側に突出して鉄板１３に接地することにより枠組み足場１を支持する。この状態でジャッキベース１０は鉄板１３上の全方向に可動するため、地震による上部駆体７の水平方向の揺れに追随して枠組み足場１の変形または破壊を防止する。
【００１３】
また、枠組み足場１を解体するときも、前記と同様に自立プレート１６の回転により脚部１８を鉄板１３に接地させることによりジャッキベース１０の可動を規制して、自立プレート１６で枠組み足場１の荷重を支持するようにする。
【００１４】
なお、上記の滑り板のベアリングはボールベアリング１５に限らず、その他のベアリングであってもよい。
【００１５】
また図５は第２の実施の形態の枠組み足場２１である。この枠組み足場２１はジャッキベース１０における自立プレートの脚部２２が四個になったものであり、これ以外は第１の実施の形態の枠組み足場１と同じ構成である。第１の実施の形態の自立プレートの脚部１８は円盤の周面に沿って連続した一体のものであったが、本実施の形態は個別に四個の脚部２２が形成されたものであり、同じ効果を奏する。
【００１６】
また図６は第３の実施の形態の枠組み足場２３である。この枠組み足場２３は滑り板１４の上面にジャッキベース用の嵌合凹部２４が形成され、この嵌合凹部２４にジャッキベース１０を嵌合することにより滑り板１４を取り付けることができるものであり、これ以外は第１の実施の形態の枠組み足場１と同じ構成である。この嵌合凹部２４はジャッキベース１０と同じ形状の基板２５の周囲に側板２６が起立して形成されたものであり、ジャッキベース１０を嵌合するだけで滑り板１４に接合することができる。
【００１７】
また図７は第４の実施の形態の枠組み足場２７である。この枠組み足場２７は滑り板１４の上面にジャッキベース用固定板２８が取り付けられ、このジャッキベース用固定板２８における四つの嵌合突起２９をジャッキベースの固定孔３０に嵌合することにより、滑り板１４を取り付けることができるものであり、これ以外は第１の実施の形態の枠組み足場１と同じ構成である。この嵌合突起２９は滑り板１４の上面に突設させることもでき、四個以上またはそれ以下であってもよい。
【００１８】
また図８は第５の実施の形態の枠組み足場３１である。この枠組み足場３１は滑り板１４の下面に滑りシート３２、すなわちフッ素樹脂からなるテフロン（登録商標）シートを張り付けたものであり、これ以外は第１の実施の形態の枠組み足場１と同じ構成である。このテフロン（登録商標）シートは摩擦係数が非常に低く自己潤滑特性に優れているためドライベアリングとして、ボールベアリング１５を備えた滑り板１４と同じように鉄板上の全方向に可動する。なお、このテフロン（登録商標）シートは、第２〜第４の実施の形態の枠組み足場２１、２３、２７にも適用することができる。
【符号の説明】
【００１９】
１、２１、２３、２７、３１、３５  枠組み足場
２、３６  建て枠
３、３７  脚柱
４  ネジ軸
５  調整ハンドル
６、４１  固定用のジャッキベース
７、３４  上部躯体
８、３８  張出部
９  敷き板
１０  可動用のジャッキベース
１１  滑り材
１２、３９  外構
１３、４２  鉄板
１４  滑り板
１５  ボールベアリング
１６  自立プレート
１７  円盤
１８、２２  脚部
１９  突起
２０、４０  壁つなぎ
２４  嵌合凹部
２５  基板
２６  側板
２８  ジャッキベース用固定板
２９  嵌合突起
３０  固定孔
３２  滑りシート
【図１】
2010185211.tif 000003
【図２】
2010185211.tif 000004
【図３】
2010185211.tif 000005
【図４】
2010185211.tif 000006
【図５】
2010185211.tif 000007
【図６】
2010185211.tif 000008
【図７】
2010185211.tif 000009
【図８】
2010185211.tif 000010
【図９】
2010185211.tif 000011